(57)【要約】【課題】複数の電解水生成ユニットを備えた電解水生成装置において、複数の電解水生成ユニットの各電解水供給管路の空気抜きを適切に実行できるようにする。【解決手段】電解水生成装置１０は、電解水を生成する２つの電解水生成ユニット２０Ａ，２０Ｂを備え、２つの電解水生成ユニット２０Ａ，２０Ｂの各々の電解質水溶液供給管路４０Ａ，４０Ｂは共通の電解質水溶液タンク４１から電解質水溶液が供給され、２つの電解水生成ユニット２０Ａ，２０Ｂの各設定操作パネル６０Ａ，６０Ｂの何れか１つから電解質水溶液供給管路４０Ａ，４０Ｂ内に残るエア抜きの操作信号が出力されたときに、全ての電解水生成ユニット２０Ａ，２０Ｂの制御装置８０Ａ，８０Ｂは送出ポンプ４２Ａ，４２Ｂを作動させるように制御した。【選択図】図１
2020058971.tif 000002
【特許請求の範囲】
【請求項１】
一対の電極を配設した電解槽と、給水源から供給される原水を前記電解槽に供給する原水供給管路と、前記電解槽に供給される原水に電解質水溶液タンクから電解質水溶液を供給する電解質水溶液供給管路と、前記電解質水溶液供給管路に介装されて電解質水溶液を送り出す送出ポンプと、前記電極に直流電圧を印加する電源装置と、前記電源装置の作動を制御する制御装置と、前記制御装置に操作信号を出力する操作スイッチとを有し、
前記制御装置は、前記送出ポンプを作動させることで前記電解質水溶液タンク内の電解質水溶液を前記電解質水溶液供給管路を通して前記原水供給管路を通る原水に混合させ、この原水に電解質水溶液を混合した被電解水を前記電解槽内にて前記電源装置によって前記直流電圧を印加することで電気分解して電解水を生成するように制御した電解水生成ユニットを複数備えた電解水生成装置であって、
前記複数の電解水生成ユニットの各々の前記電解質水溶液供給管路は共通の前記電解質水溶液タンクから電解質水溶液が供給され、
前記複数の電解水生成ユニットの各々の操作スイッチの１つから前記電解質水溶液供給管路内に残るエア抜きの操作信号が出力されたときに、全ての前記電解水生成ユニットで前記制御装置が前記送出ポンプを作動させるように制御したことを特徴とする電解水生成装置。
【請求項２】
一対の電極を配設した電解槽と、給水源から供給される原水を前記電解槽に供給する原水供給管路と、前記電解槽に供給される原水に電解質水溶液タンクから電解質水溶液を供給する電解質水溶液供給管路と、前記電解質水溶液供給管路に介装されて電解質水溶液を送り出す送出ポンプと、前記電極に直流電圧を印加する電源装置と、前記電源装置の作動を制御する制御装置と、前記制御装置に操作信号を出力する操作スイッチとを有し、
前記制御装置は、前記送出ポンプを作動させることで前記電解質水溶液タンク内の電解質水溶液を前記電解質水溶液供給管路を通して前記原水供給管路を通る原水に混合させ、この原水に電解質水溶液を混合した被電解水を前記電解槽内にて前記電源装置によって前記直流電圧を印加することで電気分解して電解水を生成するように制御した電解水生成ユニットを複数備えた電解水生成装置であって、
前記複数の電解水生成ユニットの各々の前記電解質水溶液供給管路は互いに異なる前記電解質水溶液タンクから電解質水溶液が供給され、
前記複数の電解水生成ユニットの各々の操作スイッチの１つから前記電解質水溶液供給管路内に残るエア抜きの操作信号が出力されたときに、前記操作信号が出力されなかった前記電解水生成ユニットの制御装置はこれに対応した送出ポンプを作動させないように制御するとともに、前記操作信号が出力された前記電解水生成ユニットの制御装置はこれに対応した送出ポンプを作動させるように制御したことを特徴とする電解水生成装置。
【発明の詳細な説明】
【技術分野】
【０００１】
本発明は、電解水を生成する電解水生成装置に関する。
【背景技術】
【０００２】
特許文献１には、微酸性電解水を生成する電解水生成装置の発明が開示されている。この電解水生成装置は、一対の電極を配設した電解槽と、水道等の給水源から供給される原水を電解槽に供給する原水供給管路と、電解槽に供給される原水に電解質水溶液タンクから電解質水溶液を供給する電解質水溶液供給管路と、電解質水溶液供給管路に介装されて電解質水溶液を送り出す送出ポンプと、一対の電極に直流電圧を印加する電源装置とを備えている。この電解水生成装置は電解運転をさせて電解水を生成する運転スイッチを備え、運転スイッチのオン操作により、原水供給管路から供給される原水に電解質水溶液供給管路から供給される電解質水溶液を混合した被電解水が電解槽に供給され、被電解水は電源装置から一対の電極に印加された直流電圧によって電気分解されて微酸性電解水となる。
【先行技術文献】
【特許文献】
【０００３】
【特許文献１】特開平５−２３７４７８号公報
【発明の概要】
【発明が解決しようとする課題】
【０００４】
この種の電解水生成装置では、一対の電極を配設した電解槽と、原水供給管路と、電解質水溶液供給管路と、一対の電極に直流電圧を印加する電源装置とを有した電解水生成ユニットを２つ備えるようにし、２つの電解水生成ユニットを用いることで電解水の生成量を増加させるようにしたものがある。２つの電解水生成ユニットを備えた電解水生成装置では、２つの電解水生成ユニットの各電解質水溶液供給管路は共通の電解質水溶液タンクから電解質水溶液が供給されるようにしたものや、２つの電解水生成ユニットの各電解質水溶液供給管路は互いに異なる電解質水溶液タンクから電解質水溶液が供給されるようにしたものがある。電解質水溶液タンク内の電解質水溶液が空となると、電解質水溶液供給管路内に空気が流入するため、電解質水溶液タンクを交換した後で、送出ポンプを作動させて電解質水溶液供給管路内に溜まる空気を抜く必要がある。上記のように、２つの電解水生成ユニットの各電解質水溶液供給管路が共通の電解質水溶液タンクから電解質水溶液が供給されているもので、各電解質水溶液供給管路に介装されている各々の送出ポンプを個別に作動させるように操作したのでは、電解質水溶液供給管路内の空気抜きの操作が面倒であり、２つの電解水生成ユニットの各電解質水溶液供給管路が互いに異なる電解質水溶液タンクから電解質水溶液が供給されているもので、各電解質水溶液供給管路に介装されている各々の送出ポンプを同時に作動させるようにしたものでは、空気抜きをする必要のない電解質水溶液供給管路に介装した送出ポンプを無駄に作動させることになるおそれがあった。本発明は、複数の電解水生成ユニットを備えた電解水生成装置において、複数の電解水生成ユニットの各電解水供給管路の空気抜きを適切に実行できるようにすることを目的とする。  
【課題を解決するための手段】
【０００５】
上記課題を解決するために、本発明は、一対の電極を配設した電解槽と、給水源から供給される原水を電解槽に供給する原水供給管路と、電解槽に供給される原水に電解質水溶液タンクから電解質水溶液を供給する電解質水溶液供給管路と、電解質水溶液供給管路に介装されて電解質水溶液を送り出す送出ポンプと、電極に直流電圧を印加する電源装置と、電源装置の作動を制御する制御装置と、制御装置に操作信号を出力する操作スイッチとを有し、制御装置は、送出ポンプを作動させることで電解質水溶液タンク内の電解質水溶液を電解質水溶液供給管路を通して原水供給管路を通る原水に混合させ、この原水に電解質水溶液を混合した被電解水を電解槽内にて電源装置によって直流電圧を印加することで電気分解して電解水を生成するように制御した電解水生成ユニットを複数備えた電解水生成装置であって、複数の電解水生成ユニットの各々の電解質水溶液供給管路は共通の電解質水溶液タンクから電解質水溶液が供給され、複数の電解水生成ユニットの各々の操作スイッチの１つから電解質水溶液供給管路内に残るエア抜きの操作信号が出力されたときに、全ての電解水生成ユニットで制御装置は送出ポンプを作動させるように制御したことを特徴とする電解水生成装置を提供するものである。
【０００６】
複数の電解水生成ユニットの各々の電解質水溶液供給管路は共通の電解質水溶液タンクから電解質水溶液が供給されるようにした電解水生成装置においては、複数の電解水生成ユニットの各操作スイッチの何れか１つを操作するだけで、全ての電解水生成ユニットの送出ポンプを作動させることができ、複数の電解水生成ユニットの各電解質水溶液供給管路内の空気抜きの操作を面倒でないようにすることができた。
【０００７】
また、本発明の他の実施形態では、一対の電極を配設した電解槽と、給水源から供給される原水を電解槽に供給する原水供給管路と、電解槽に供給される原水に電解質水溶液タンクから電解質水溶液を供給する電解質水溶液供給管路と、電解質水溶液供給管路に介装されて電解質水溶液を送り出す送出ポンプと、電極に直流電圧を印加する電源装置と、電源装置の作動を制御する制御装置と、制御装置に操作信号を出力する操作スイッチとを有し、制御装置は、送出ポンプを作動させることで電解質水溶液タンク内の電解質水溶液を電解質水溶液供給管路を通して原水供給管路を通る原水に混合させ、この原水に電解質水溶液を混合した被電解水を電解槽内にて電源装置によって直流電圧を印加することで電気分解して電解水を生成するように制御した電解水生成ユニットを複数備えた電解水生成装置であって、複数の電解水生成ユニットの各々の電解質水溶液供給管路は互いに異なる電解質水溶液タンクから電解質水溶液が供給され、複数の電解水生成ユニットの各々の操作スイッチの１つから電解質水溶液供給管路内に残るエア抜きの操作信号が出力されたときに、操作信号が出力されなかった電解水生成ユニットの制御装置はこれに対応した送出ポンプを作動させないように制御するとともに、操作信号が出力された電解水生成ユニットの制御装置はこれに対応した送出ポンプを作動させるように制御したことを特徴とする電解水生成装置を提供するものである。
【０００８】
複数の電解水生成ユニットの各々の電解質水溶液供給管路は互いに異なる電解質水溶液タンクから電解質水溶液が供給されるようにした電解水生成装置においては、複数の電解水生成ユニットの各操作スイッチの何れか１つで電解質水溶液供給管路内に残るエア抜きの操作をすることで、操作スイッチによりエア抜きの操作をしてない電解水生成ユニットの送出ポンプを作動させることなく、操作スイッチによりエア抜きの操作をした電解水生成ユニットの送出ポンプだけを作動させることができ、エア抜きの不必要な電解水生成ユニットで送出ポンプを無駄に作動させるのを防ぐことができた。
【図面の簡単な説明】
【０００９】
【図１】本発明の第１実施形態の電解水生成装置の概略図である。
【図２】設定操作パネルを示す図である。
【図３】運転操作パネルを示す図である。
【図４】制御装置のブロック図である。
【図５】本発明の第２実施形態の電解水生成装置の概略図である。
【発明を実施するための最良の形態】
【００１０】
以下に、本発明の電解水生成装置の実施形態を添付図面を参照して説明する。
（第１実施形態）
第１実施形態の電解水生成装置１０は、被電解水を無隔膜の電解槽２１Ａ，２１Ｂ内で電気分解することによって微酸性電解水を生成するものであり、特にｐＨ５．０〜６．５、有効塩素濃度１０〜８０ｐｐｍの微酸性電解水を生成するものである。図１に示したように、第１実施形態の電解水生成装置１０は、ハウジング１１内に第１及び第２電解水生成ユニット２０Ａ，２０Ｂを備え、第１及び第２電解水生成ユニット２０Ａ，２０Ｂの各電解質水溶液供給管路４０Ａ，４０Ｂは共通の電解質水溶液タンク４１から電解質水溶液が供給されるようにしたものである。第１及び第２電解水生成ユニット２０Ａ，２０Ｂは、電解槽２１Ａ，２１Ｂと、原水を供給する原水供給管路３０Ａ，３０Ｂと、各原水供給管路３０Ａ，３０Ｂから供給される原水に塩酸を含む電解質水溶液を供給する電解質水溶液供給管路４０Ａ，４０Ｂと、各電解槽２１Ａ，２１Ｂの電極２２Ａａ，２２Ａｂ、２２Ｂａ，２２Ｂｂに直流電圧を印加する電源装置５０Ａ，５０Ｂとを備えている。第１及び第２電解水生成ユニット２０Ａ，２０Ｂは同じ構成であるので、以後の説明では、第１電解水生成ユニット２０Ａについて説明し、第２電解水生成ユニット２０Ｂについては第１電解水生成ユニット２０Ａの符号の後に括弧書きで記載する。
【００１１】
電解槽２１Ａ（２１Ｂ）は被電解水を電気分解するものである。電解槽２１Ａ（２１Ｂ）は一室型の無隔膜電解槽であり、電解槽２１Ａ（２１Ｂ）には一対の電極２２Ａａ，２２Ａｂ（２２Ｂａ，２２Ｂｂ）が配設されている。電解槽２１Ａ（２１Ｂ）には水道等の給水源から原水を供給する原水供給管路３０Ａ（３０Ｂ）と、電解槽２１Ａ（２１Ｂ）で生成された微酸性電解水を注出する注出管路２３Ａ（２３Ｂ）とが接続されている。
【００１２】
原水供給管路３０Ａ（３０Ｂ）には減圧弁３１と通水弁３２Ａ（３２Ｂ）が介装されている。給水源から送られる原水は減圧弁３１によって圧力が下げられ、通水弁３２Ａ（３２Ｂ）の開放によって電解槽２１Ａ（２１Ｂ）に供給される。また、原水供給管路３０Ａ（３０Ｂ）には温度センサ３３Ａ（３３Ｂ）と流量計３４Ａ（３４Ｂ）が介装されており、温度センサ３３Ａ（３３Ｂ）は原水供給管路３０Ａ（３０Ｂ）を通過する原水の温度を検出し、流量計３４Ａ（３４Ｂ）は原水供給管路３０Ａ（３０Ｂ）を通過する原水の流量を検出する。なお、この原水供給管路３０Ａ（３０Ｂ）にはアルカリ度測定器を設け、アルカリ度測定器により原水のＭアルカリ度を計測するようにしてもよい。
【００１３】
原水供給管路３０Ａ（３０Ｂ）には電解質水溶液供給管路４０Ａ（４０Ｂ）が接続されている。電解質水溶液供給管路４０Ａ（４０Ｂ）は電解質水溶液タンク４１から電解質水溶液を原水供給管路３０Ａ（３０Ｂ）に供給するものである。電解質水溶液タンク４１内に貯えた電解質水溶液は少なくとも塩酸を含むものであり、この実施形態では飽和塩化ナトリウム水溶液に塩酸を所定濃度となるように調製したものである。この実施形態の電解水生成装置１０では、第１及び第２電解水生成ユニット２０Ａ，２０Ｂの各々の電解質水溶液供給管路４０Ａ（４０Ｂ）は共通の電解質水溶液タンク４１から電解質水溶液が供給されている。
【００１４】
電解質水溶液供給管路４０Ａ（４０Ｂ）には送出ポンプ（送出手段）４２Ａ（４２Ｂ）が介装されており、電解質水溶液タンク４１内の電解質水溶液は送出ポンプ４２Ａ（４２Ｂ）の作動によって電解質水溶液供給管路４０Ａ（４０Ｂ）を通って原水供給管路３０Ａ（３０Ｂ）に送られる。送出ポンプ４２Ａ（４２Ｂ）は流量可変型のポンプであり、パルス信号によるポンプのストローク数によって流量が調節されるようになっている。電解質水溶液タンク４１内の電解質水溶液は原水のＭアルカリ度によって異なる塩酸濃度の電解質水溶液が用いられる。具体的には、原水のＭアルカリ度が２０〜４０ｐｐｍのときには塩酸濃度が０．８ｗｔ％の電解質水溶液を用い、原水のＭアルカリ度が４０〜６０ｐｐｍのときには塩酸濃度が１．０ｗｔ％の電解質水溶液を用い、原水のＭアルカリ度が６０〜８０ｐｐｍのときには塩酸濃度が１．２ｗｔ％の電解質水溶液を用いるようにしている。
【００１５】
電源装置５０Ａ（５０Ｂ）は電解槽２１Ａ（２１Ｂ）内の電極２２Ａａ，２２Ａｂ（２２Ｂａ，２２Ｂｂ）に直流電圧を印加して、電解槽２１Ａ（２１Ｂ）内の被電解水を電気分解するものである。電源装置５０Ａ（５０Ｂ）と電極２２Ａｂ（２２Ｂｂ）との間には電流計５１Ａ（５１Ｂ）が接続されており、電流計５１Ａ（５１Ｂ）は電源装置５０Ａ（５０Ｂ）から電極２２Ａｂ（２２Ｂｂ）を接続する配線を流れる電流を計測することで、電解槽２１Ａ（２１Ｂ）を流れる電解電流を計測するものである。電極２２Ａａ，２２Ａｂ（２２Ｂａ，２２Ｂｂ）の間には電圧計５２Ａ（５２Ｂ）が接続されており、電圧計５２Ａ（５２Ｂ）は電極２２Ａａ，２２Ａｂ（２２Ｂａ，２２Ｂｂ）に印加される電圧を計測することで、電解槽２１Ａ（２１Ｂ）の電解電圧を計測するものである。
【００１６】
図２に示したように、電解水生成装置１０の第１電解水生成ユニット２０（２０Ｂ）は主として電解水を生成する電解条件を設定する設定操作パネル６０Ａ（６０Ｂ）を備えており、設定操作パネル６０Ａ（６０Ｂ）には表示部６１Ａ（６１Ｂ）と操作スイッチ６２Ａ（６２Ｂ）が設けられている。表示部６１Ａ（６１Ｂ）は、電流値、電圧値または水温を表示させる表示パネル６１Ａａ（６１Ｂａ）と、表示パネル６１Ａａ（６１Ｂａ）に表示されている数値の種類を示す表示ランプ６１Ａｂ（６１Ｂｂ）とを備えている。表示パネル６１Ａａ（６１Ｂａ）には温度センサ３３Ａ（３３Ｂ）により検出した原水の水温、電流計５１Ａ（５１Ｂ）により計測した電流、電圧計５２Ａ（５２Ｂ）により計測した電圧、設定した電流または電圧等を表示可能としている。表示ランプ６１Ａｂ（６１Ｂｂ）は電圧、電流及び水温を表示させるランプを備え、表示ランプ６１Ａｂ（６１Ｂｂ）で点灯している電圧、電流及び水温が表示パネル６１Ａａ（６１Ｂａ）に表示されるようになっている。
【００１７】
操作スイッチ６２Ａ（６２Ｂ）は設定スイッチ６２Ａａ（６２Ｂａ）と、表示切替／ＵＰスイッチ６２Ａｂ（６２Ｂｂ）と、アスタリスクマーク／ＤＯＷＮスイッチ６２Ａｃ（６２Ｂｃ）とを備えている。設定スイッチ６２Ａａ（６２Ｂａ）は設定電圧、設定電流等を変更するために用いるスイッチである。表示切替／ＵＰスイッチ６２Ａｂ（６２Ｂｂ）は主として表示パネル６１Ａａ（６１Ｂａ）に表示される計測電圧（設定電圧）、計測電流（設定電流）または計測水温を切り替え操作するためのスイッチである。また、表示切替／ＵＰスイッチ６２Ａｂ（６２Ｂｂ）は、電解質水溶液供給管路４０Ａ，４０Ｂに残る空気を抜くエア抜きを実行する操作スイッチとしても用いられている。アスタリスクマーク／ＤＯＷＮスイッチ６２Ａｃ（６２Ｂｃ）は、設定スイッチ６２Ａａ（６２Ｂａ）を押したときに設定電圧または設定電流を減少させるのに用いられるスイッチである。 
【００１８】
図３に示したように、電解水生成装置１０はハウジング１１の前面に運転操作パネル７０を備え、運転操作パネル７０には運転スイッチ７１が設けられている。運転スイッチ７１は第１及び第２電解水生成ユニット２０Ａ，２０Ｂを電解運転させて電解水を生成させるものである。
【００１９】
電解条件の設定操作をするときに、設定スイッチ６２Ａａ（６２Ｂａ）を押した状態とすると、表示パネル６１Ａａ（６１Ｂａ）に電圧または電流の設定値が表示され、その時に表示切替／ＵＰスイッチ６２Ａｂ（６２Ｂｂ）を押すと電圧または電流の設定値が増加し、アスタリスクマーク／ＤＯＷＮスイッチ６２Ａｃ（６２Ｂｃ）を押すと電圧または電流の設定値が減少する。また、設定スイッチ６２Ａａ（６２Ｂａ）を押していないときには、表示ランプ６１Ａｂ（６１Ｂｂ）には選択されている電圧、電流または水温が点灯表示され、表示パネル６１Ａａ（６１Ｂａ）には選択されている電圧、電流または水温の計測値が表示されている。電解状態を確認する操作をするときには、表示切替／ＵＰスイッチ６２Ａｂ（６２Ｂｂ）を押すと、表示ランプ６１Ａｂ（６１Ｂｂ）に選択されている電圧、電流または水温が切り替えられ、表示パネル６１Ａａ（６１Ｂａ）には切り替えられた電圧、電流または水温の計測値が表示される。
【００２０】
また、電解質水溶液供給管路４０Ａ，４０Ｂに残る空気を抜くエア抜きを実行するときには、運転操作パネル７０の運転スイッチ７１を操作して、第１及び第２電解水生成ユニット２０Ａ，２０Ｂの運転を停止させ、アスタリスクマーク／ＤＯＷＮスイッチ６２Ａｃまたはアスタリスクマーク／ＤＯＷＮスイッチ６２Ｂｃを１〜２秒間以上押し続ける所謂長押し操作をしてエア抜き操作信号を出力すると、第１及び第２電解水生成ユニット２０Ａ，２０Ｂの送出ポンプ４２Ａ，４２Ｂが両方とも一定時間作動する。電解質水溶液タンク４１の電解質水溶液は両方の電解質水溶液供給管路４０Ａ，４０Ｂに送られ、両方の電解質水溶液供給管路４０Ａ，４０Ｂ内に残る空気が排出される。
【００２１】
図４に示したように、第１（第２）電解水生成ユニット２０Ａは制御装置８０Ａ（８０Ｂ）を備えており、制御装置８０Ａ（８０Ｂ）は、通水弁３２Ａ（３２Ｂ）、温度センサ３３Ａ（３３Ｂ）、流量計３４Ａ（３４Ｂ）、送出ポンプ４２Ａ（４２Ｂ）、電源装置５０Ａ（５０Ｂ）、電流計５１Ａ（５１Ｂ）、電圧計５２Ａ（５２Ｂ）、設定操作パネル６０Ａ（６０Ｂ）及び運転操作パネル７０に接続されている。また、第１電解水生成ユニット２０Ａの制御装置８０Ａは第２電解水生成ユニット２０Ｂの制御装置８０Ｂに接続されている。制御装置８０Ａ（８０Ｂ）はマイクロコンピュータ（図示省略）を有しており、マイクロコンピュータは、バスを介してそれぞれ接続されたＣＰＵ、ＲＡＭ、ＲＯＭ及びタイマ（いずれも図示省略）を備えている。制御装置８０Ａ（８０Ｂ）は、ＲＯＭに微酸性電解水を生成する際の電解制御プログラムを備えており、電解制御プログラムは被電解水を電気分解するときの設定電流と設定電圧が微酸性電解水の要求特性を満たすように原水のＭアルカリ度（アルカリ度）と電解質水溶液の塩酸濃度とに応じて設定されている。また、電解制御プログラムの設定電流と設定電圧は、原水のアルカリ度と電解質水溶液の塩酸濃度だけでなく、原水の温度にも応じて設定されている。
【００２２】
この電解水生成装置１０における電解制御プログラムを用いた微酸性電解水の生成について説明する。電解水生成装置１０を設置したときには、制御装置８０Ａ，８０Ｂの電解制御プログラムに設置場所で測定した原水のＭアルカリ度と、原水のＭアルカリ度に対応した電解質水溶液の塩酸濃度を設定操作パネル６０Ａ，６０Ｂの操作スイッチ６２Ａ，６２Ｂの操作によって入力しておく。運転操作パネル７０の運転スイッチ７１をオンさせたときには、第１及び第２電解水生成ユニット２０Ａ，２０Ｂの制御装置８０Ａ，８０Ｂは図示しない微酸性電解水の貯水タンク内の水位が低下したときに、各々の電解槽２１Ａ，２１Ｂで電解運転をさせて微酸性電解水を生成するように制御している。
【００２３】
第１及び第２電解水生成ユニット２０Ａ，２０Ｂで電解運転をして微酸性電解水を生成するときには、制御装置８０Ａ，８０Ｂは通水弁３２Ａ，３２Ｂを開放させ、給水源の原水が原水供給管路３０Ａ，３０Ｂを通って電解槽２１Ａ，２１Ｂに供給される。また、上述したように、微酸性電解水の要求特性を満たすために、予め入力した原水のＭアルカリ度と電解質水溶液の塩酸濃度と、温度センサ３３Ａ，３３Ｂによる検出水温に基づいて設定された設定電流と設定電圧となるように、制御装置８０Ａ，８０Ｂは電圧計５２Ａ，５２Ｂにより計測される電圧が設定電圧となるように電源装置５０Ａ，５０Ｂによる電極２２Ａａ，２２Ｂａに対する電圧の印可を制御するとともに、電流計５１Ａ，５１Ｂにより計測される電流が設定電流となるように送出ポンプ４２Ａ，４２Ｂによる電解質水溶液の流量を制御している。
【００２４】
電解槽２１Ａ，２１Ｂ内に供給される被電解水は電源装置５０Ａ，５０Ｂから電極２２Ａａと２２Ａｂ、２２Ｂａと２２Ｂｂの間を流れる直流電流により電気分解され、アノード側で塩素イオンが次亜塩素酸となり、カソード側ではナトリウムイオンと水の反応で水酸化ナトリウムと水素ガスが発生する。また、カソード側で発生した水酸化ナトリウムは被電解水に含まれる塩酸によって中和され、生成された電解水は全体としてｐＨが５．０〜６．５となる。このように、電解水生成装置１０で生成される電解水は、ｐＨが５．０〜６．５で有効塩素濃度が１０〜８０ｐｐｍの要求特性を満たした微酸性電解水となっている。
【００２５】
電解水生成装置１０で微酸性電解水を一定量生成したときに、電解質水溶液タンク４１内の電解質水溶液が無くなるため、電解質水溶液が満たされた新たな電解質水溶液タンク４１に交換する必要がある。このとき、電解質水溶液供給管路４０Ａ，４０Ｂには空気が残るようになっているので、両方の電解質水溶液供給管路４０Ａ，４０Ｂのエア抜きの操作をする必要がある。
【００２６】
この実施形態の電解水生成装置１０では、空となった後で新たな電解質水溶液タンク４１に交換した後で、２つ（複数）の電解水生成ユニット２０Ａ，２０Ｂの各設定操作パネル６０Ａ，６０Ｂの何れか１つから電解質水溶液供給管路４０Ａ，４０Ｂ内に残るエア抜きの操作信号が出力されたときに、全ての電解水生成ユニット２０Ａ，２０Ｂで制御装置８０Ａ，８０Ｂが送出ポンプ４２Ａ，４２Ｂを作動させるように制御した。具体的には、運転スイッチ７１をオフとした状態で、電解水生成ユニット２０Ａ、２０Ｂの設定操作パネル６０Ａ，６０Ｂの表示切替／ＵＰスイッチ６２Ａｂ，６２Ｂｂの一方だけを長押し操作してエア抜きの操作信号を出力すると、操作信号の出力されなかった第１電解水生成ユニット２０Ａの制御装置８０Ａは、送出ポンプ４２Ａを作動させて電解質水溶液供給管路４０Ａに残るエア抜きをするとともに、第２電解水生成ユニット２０Ｂの制御装置８０Ｂは、送出ポンプ４２Ｂを作動させて電解質水溶液供給管路４０Ｂに残るエア抜きをする。電解水生成ユニット２０Ｂの設定操作パネル６０Ｂの表示切替／ＵＰスイッチ６２Ｂｂを長押し操作してエア抜きの操作信号を出力したときも同様である。このように２つの電解水生成ユニット２０Ａ，２０Ｂの操作スイッチ６２Ａまたは各操作スイッチ６２Ｂを操作するだけで、２つ（全て）の電解水生成ユニット２０Ａ，２０Ｂの送出ポンプ４２Ａ、４２Ｂを作動させることができ、２つの電解水生成ユニット２０Ａ，２０Ｂの各電解質水溶液供給管路４０Ａ，４０Ｂ内の空気抜きの操作が面倒でないようにすることができた。
【００２７】
（第２実施形態）
図５に示したように、第２実施形態の電解水生成装置１０も、ハウジング１１内に第１及び第２電解水生成ユニット２０Ａ，２０Ｂを備えている。この第２実施形態の電解水生成装置１０では、２つの電解水生成ユニット２０Ａ，２０Ｂの各々の電解質水溶液供給管路４０Ａ，４０Ｂは互いに異なる電解質水溶液タンク４１Ａ，４１Ｂに接続されている。この第２実施形態の電解水生成装置１０においては、運転スイッチ７１をオフとした状態で、空となった方の電解水生成ユニット２０Ａ，２０Ｂの表示切替／ＵＰスイッチ６２Ａｂ，６２Ｂｂを１〜２秒間以上押し続ける所謂長押し操作をしてエア抜き操作信号を出力すると、操作信号の出力されなかった電解水生成ユニット２０Ａ，２０Ｂの制御装置８０Ａ，８０Ｂは、これに対応した送出ポンプ４２Ａ，４２Ｂを作動させないように制御するとともに、操作信号の出力された電解水生成ユニット２０Ａ，２０Ｂの制御装置８０Ａ，８０Ｂは、これに対応した送出ポンプ４２Ａ，４２Ｂだけを作動させるように制御した。
【００２８】
具体的には、第１電解水生成ユニット２０Ａの電解質水溶液タンク４１Ａが空となり、第１電解水生成ユニット２０Ａの表示切替／ＵＰスイッチ６２Ａｂを１〜２秒間以上押し続ける所謂長押し操作をしてエア抜き操作信号を出力すると、第２電解水生成ユニット２０Ｂの制御装置８０Ｂは、これに対応した送出ポンプ４２Ｂを作動させないように制御し、第１電解水生成ユニット２０Ａの制御装置８０Ａは、これに対応した送出ポンプ４２Ａだけを作動させるように制御する。また、第２電解水生成ユニット２０Ｂの電解質水溶液タンク４１Ｂが空となり、第２電解水生成ユニット２０Ｂの表示切替／ＵＰスイッチ６２Ｂｂを１〜２秒間以上押し続ける所謂長押し操作をしてエア抜き操作信号を出力すると、第１電解水生成ユニット２０Ａの制御装置８０Ａは、これに対応した送出ポンプ４２Ａを作動させないように制御し、第２電解水生成ユニット２０Ｂの制御装置８０Ｂは、これに対応した送出ポンプ４２Ｂだけを作動させるように制御する。
【００２９】
このように、第１電解水生成ユニット２０Ａの電解質水溶液タンク４１Ａが空になったときに（括弧内は第２電解水生成ユニット２０Ｂの電解質水溶液タンクＢが空になったときである）、空となっていない電解質水溶液タンク４１Ｂ（電解質水溶液タンク４１Ａ）の操作をしてない電解水生成ユニット２０Ｂ（電解水生成ユニット２０Ａ）の送出ポンプ４２Ａ（送出ポンプ４２Ａ）を作動させることなく、操作をした電解水生成ユニット２０Ａ（電解水生成ユニット２０Ｂ）の送出ポンプ４２Ａ（送出ポンプ４２Ｂ）だけを作動させることができ、複数のうちの必要な電解水生成ユニットだけで電解質水溶液供給管路内の空気抜きの操作を実行させて、不必要な電解水生成ユニットでの電解質水溶液供給管路内の空気抜きの操作を実行させないようにすることができるようになった。
【００３０】
これらの実施形態の電解水生成装置１０は、複数の電解水生成ユニットとして、２つの電解水生成ユニット２０Ａ，２０Ｂを備えているが、本発明はこれに限られるものでなく、複数の電解水生成ユニットとして、３つ以上の電解水生成ユニットを備えたものであってもよい。
【００３１】
この実施形態の電解水生成装置１０は微酸性電解水を生成するものであるが、本発明はこれに限られるものでなく、弱酸性電解水（弱アルカリ性電解水）、強酸性電解水（強アルカリ性電解水）を生成するものであってもよい。
【００３２】
なお、第１及び第２実施形態の電解水生成装置１０のエア抜き操作の設定を互いに変更可能としたものであってもよい。具体的には、第１実施形態の電解水生成装置１０で、第２実施形態のように、各々の電解質水溶液供給管路４０Ａ，４０Ｂに互いに異なる電解質水溶液タンク４１Ａ，４１Ｂから電解質水溶液を供給するようにしたときに、設定操作パネル６０Ａ（６０Ｂ）の各操作スイッチ６２Ａ（６２Ｂ）を適宜設定変更の操作をして、複数のうちの必要な電解水生成ユニットだけで電解質水溶液供給管路内の空気抜きを実行させて、不必要な電解水生成ユニットでの電解質水溶液供給管路内の空気抜きを実行させないようにしてもよい。また、同様に、第２実施形態の電解水生成装置１０で、第１実施形態のように、各々の電解質水溶液供給管路４０Ａ，４０Ｂに共通の電解質水溶液タンク４１から電解質水溶液を供給するようにしたときに、設定操作パネル６０Ａ（６０Ｂ）の各操作スイッチ６２Ａ（６２Ｂ）を適宜設定変更の操作をして、複数の電解水生成ユニットの全てで電解質水溶液供給管路内の空気抜きを実行させてもよい。
【符号の説明】
【００３３】
１０…電解水生成装置、２０Ａ，２０Ｂ…電解水生成ユニット（第１または第２電解水生成ユニット）、２１Ａ，２１Ｂ…電解槽、２２Ａａ，２２Ａｂ，２２Ｂａ，２２Ｂｂ…電極、３０Ａ，３０Ｂ…原水供給管路、４０Ａ，４０Ｂ…電解質水溶液供給管路、４２Ａ，４２Ｂ…送出ポンプ、５０Ａ，５０Ｂ…電源装置、６２Ａ，６２Ｂ…操作スイッチ、８０Ａ，８０Ｂ…制御装置。
【図１】
2020058971.tif 000003
【図２】
2020058971.tif 000004
【図３】
2020058971.tif 000005
【図４】
2020058971.tif 000006
【図５】
2020058971.tif 000007